(57)【要約】      （修正有）【課題】筋肉疲労と血流の早期緩和、改善と回復をすることができるシリコンゴムシート、発泡シリコンシート又はゲル状シートを提供する。【解決手段】ラジウムを含む鉱石の粉体とテラヘルツ鉱石の粉体をシリコンゴムまたはゲルに練りこんでシート状に加工したもの。【選択図】図１
0003207810.tif 000002
【実用新案登録請求の範囲】
【請求項１】
ラジウムを含む鉱石の粉体とテラヘルツ鉱石の粉体をシリコンゴムに練りこんで筋肉疲労及び血行の緩和、改善回復することを特徴するシリコンゴムシート、発泡シリコンゴムシート及びゲル状シート。
【請求項２】
毛穴を収斂し整肌やリフトアップ、バストアップを特徴とするシリコンゴムシート、発泡シリコンゴムシート及びゲル状シート。
【考案の詳細な説明】
【技術分野】
【０００１】  筋肉疲労および血流の改善を早期に緩和・回復する上記記載のシリコンゴムシート、発泡シリコンゴムシート及びゲル状シート。
【背景技術】
【０００２】  従来にはラジウム鉱石を含む鉱石の粉体を練りこんだシリコンゴムシートがある。例えば非特許文献１．「痛快シート」がある。また人工鉱石であるテラヘルツ鉱石を数珠状にしたネックレスやブレスレットがある。【０００３】  例えばラジウム鉱石の粉体によるシリコンゴムシートの厚さは概、１ｍｍで面積には種類がある。またテラヘルツ鉱石を数珠状にしたネックレスやブレスレットは、１５〜６０個が連結した形状がある。
【先行技術文献】
【特許文献】
【０００４】  特許文献としては開示も示唆もありません。
【非特許文献】
【０００５】
【非特許文献１】  インターネットなどで一部の医療施設やリラクゼーション施設でラジウムを含む鉱石によるホルミシス効果を謳う施設などが公開されており、こうした密室空間に作られた施設への勧誘が見受けられるのは周知の事実である。代表的な文献はオーストリア・バドガシュタインにおいてラジウム鉱石によるホルミシス効果の医療効果などが掲載されている。
【非特許文献２】  インターネットなどでテラヘルツ鉱石を玉にして数珠状にしたネックレスやブレスレットが掲載されている。
【考案の概要】
【考案が解決しようとする課題】
【０００６】  以上に述べた従来のラジウム鉱石を含む粉体をシリコンゴムシートに練りこんだホルミシス効果は一度の使用に３０分以上を要しても温熱効果や筋肉をほぐす体感がなく数次の回数を使用しても感じる場合と感じない場合があった。
ラジウムを含む鉱石の粉体によるホルミシス効果の実験では解放空間よりも密室空間において眠りを誘うような体感が概６０分で得られるようであった。また数珠状に連結したテラヘルツ鉱石の場合は２４時間を超える長時間使用によって若干の温熱効果は得られたが筋肉をほぐすことは出来なかった。【０００７】  本発明は、このような従来の構成が有していた問題を解決しようとするものであり、低放射性のラジウムを含む鉱石の粉体と熱伝導性と共鳴振動に優れているテラヘルツ鉱石の粉体をシリコンゴムシートやゲル状シートに一定の割合で練りこむことで極めて短時間に温熱効果が得られるため一時的であっても、慢性的であっても筋肉をほぐし血行を緩和・改善することが可能となったものである。【０００８】  テラヘルツ鉱石の粉体がもつ熱伝導性の実験では、ライターでテラヘルツ鉱石の粉体を１分間、火を近づけた後、直接手で触れても一切、温度を感じることはなかった。また熱伝導性と共鳴振動による実験ではテラヘルツ鉱石粉体の上に氷の破片を乗せると見る見るうちに溶け出し、わずか３秒程度で氷と同等の温度となった。
【課題を解決するための手段】
【０００９】  ラジウム鉱石を含む粉体が有するホルミシス効果を最大限に利用するためにテラヘルツ鉱石の粉体が有する熱伝導性と共鳴振動による相乗効果を求めたものであり、恒常性機能の一つである筋肉疲労や血流の回復を考える時、筋肉はどの部位においても「束」で存在していることを鑑みればテラヘルツの共鳴振動による増幅と拡大は束で存在する筋肉全体に働きかけて短時間で筋肉をほぐす効果を示したものである。この効果はホルミシスの施設に行く場合と対比すると、短時間かつ費用対効果においてシリコンゴムシートやゲル状に加工した本件発明はホルミシス施設以上の効果が得られる可能性があることを、巻末の図１並びに図３の比較から得られたものである。【００１０】  ラジウムを含む鉱石の粉体を概、２００マイクロに加工し、テラヘルツのパウダーを概、５００マイクロに加工して攪拌した後、シリコンゴム及びゲルに練りこんで硬化後は使いやすい大きさに切り分けるものである。加工時の厚さにおいて概、１ｍｍの場合では約、３分以後よりシリコンゴムシート、またはゲルから体温と同等の温度を感じることが出来るようになった。本件発明が示す温熱効果、マイナスイオン濃度、筋肉疲労の解消には筋電計など多角的な計測を実施した。その結果、極めて短時間に筋肉をほぐし、一時的、慢性的な肩こりや腰痛などに対して緩和・改善していることを示したものである。利用方法については常温下、浴槽内、車の中など、いつでも何処でもと使い易さにおける利便性の向上があり、使い方による劣化或いは損傷を受けても修復が可能である点も費用対効果に優れている。
【考案の効果】
【００１１】  ラジウムを含む鉱石の粉体粒径よりテラヘルツ鉱石粉体の粒径を同一にしないのはシリコンゴムに練りこんだ状態でラジウム鉱石の粉体が発する低放射性を、テラヘルツ鉱石の粉体が共鳴振動し効率よく拡散・増幅し、熱伝導性を最大限に作用することを目的とした。比較および結果は図に示すサーモグラフ、マイナスイオン濃度および筋電計の通りである。（図１．〜図３を参照）
【図面の簡単な説明】
【００１２】サーモグラフによる体表の温度変化を計測。
【図１】テラヘルツ粉体のシリコンゴムシートを１０分間乗せた後、計測。
【図２】ラジウムを含む鉱石だけの粉体シートを１０分間乗せた後、計測。
【図３】ラジウムを含む鉱石粉体とテラヘルツ鉱石粉体を練りこんだシートを１０分間乗せた後、計測。
【００１３】  僧帽筋に２ｋｇの負荷を１０秒間かけた場合と、かけない場合の筋電計試験。
【図４】棒グラフは図３のシリコンゴムシートを装着した前後の比較。
【図５】図４を解析した数値評価の比較。
【００１４】  発生したマイナスイオン濃度の比較
【図６】図の通り
【００１５】  制作方法を示すフローチャート
【図８】図の通り
【考案を実施するための形態】
【実施例１】
【００１６】  筋肉疲労を起こしている部位が体表より深部である場合でも広範囲であっても筋肉がほぐれて血流が改善される効果が顕れるようシリコンゴムに練り込んだシリコンシートの厚さと面積を自由に変更出来ることで筋肉疲労の面積や深部に概ね、１５〜６０分間で改善を可能となることを目的とした。筋肉の一時的疲労または慢性的疲労であっても緩和、改善する時間が早いことによって肉体的負担の軽減と再発防止が可能になることは筋肉疲労を慢性化させないための合理的な方法であると言える。例えばプロのアスリートであっても、高齢者であっても簡便な使い方であること、場所を選ばないこと、専門的な知識を必要としないこと及び第三者の介助を必要としない点でこの効果は多くの対象者が享受出来ることを特徴とする。
【実施例２】
【００１７】  前記、記載の任意の厚さおよび面積のシリコンゴムシートによる一例として慢性的な腰痛の場合に利用する方法では、一定時間患部に固定しておくことで痛みの緩和、軽減または激減を生み日常的な活動に支障がなくなることを特徴とする。
【実施例３】
【００１８】  前記、記載のシリコンゴムシートは更に効率よく利用するには入浴時に浴槽内で筋肉疲労の部位または低体温の方の場合は体温が上昇して安定することを体感出来たことを特徴とする。
【実施例４】
【００１９】  前期記載のシリコンゴムシートは体表の、どの部分でも皮膚の活性、即ち、皮膚の感触や若返り、小皺の改善などによって顔ではリフティング効果と見受けられる小皺の改善が見受けられ、かつ毛穴が収斂して肌のハリが体感出来たことを特徴とする。
【実施例５】
【００２０】  高齢化社会の特徴的な現象に介護される側も、介護する側も日常的な肉体的負担からくる疲労があり、この負担を軽減する目的に利用すれば自立や共助が可能で簡易に短時間で改善が得られる。シリコンゴムシートに練り込んだことでラジウムを含む鉱石粉体とテラヘルツ鉱石粉体がもつ夫々の特性が長期間、保持出来て相乗効果を生むことは両者にとって有益であり、万が一、破損や変形しても多少の使い難くさが残ったとしても効果は担保されている為、器具の修理などと異なり補修も容易なことにも有為性があることを特徴とする。
【産業上の利用可能性】
【００２１】  筋肉疲労の改善および治療には色々な方法があるが、より安全に、より短時間に改善・緩和されるものは少ない。筋肉はどの部位においても「束」で存在しており、その部位の束単位で筋肉に溜まった乳酸を解消し、筋肉の硬化による血行不良を改善するに有益な方法がないのが現状である。例えばアスリートがいつもベストな状態であるためには筋肉の状態が大きく左右すると言っても過言ではなく従来の方法であるマッサージだと間違えば悪化させる原因となる。また別の方法で体温のリバウンドを目的としたアイシングでは低温やけどを起こす危険性もある。どのような方法であっても１時間以内に筋肉疲労を改善出来ないのが現状である。そこで本件発明では筋肉疲労を長期化または慢性化させないための例のない簡便で有益な方法であることを特徴とし、ラジウムを含む鉱石粉体とテラヘルツ鉱石粉体を混合し、シリコンゴムなど化成品に練りこんだ新しい利用方法であり、早い作用効果であり、メンテナンスを必要としないことであり、何処でも誰にでも簡便に使えるものであるため、利用される分野は多岐に亘ることを特徴とする。
【図１】
0003207810.tif 000003
【図２】
0003207810.tif 000004
【図３】
0003207810.tif 000005
【図４】
0003207810.tif 000006
【図５】
0003207810.tif 000007
【図６】
0003207810.tif 000008
【図７】
0003207810.tif 000009
【手続補正書】
【提出日】平成28年8月25日(2016.8.25)
【手続補正１】
【補正対象書類名】実用新案登録請求の範囲
【補正対象項目名】全文
【補正方法】変更
【補正の内容】
【実用新案登録請求の範囲】
【請求項１】
ラジウムを含む鉱石の粉体とテラヘルツ鉱石の粉体をシリコンゴムに練り込んで筋肉疲労及び血行の緩和、改善回復することを特徴とするシリコンゴムシート、発泡シリコンゴムシート又はゲル状シート。
【請求項２】
毛穴を収斂し整肌やリフトアップ、バストアップを特徴とする請求項１記載のシリコンゴムシート、発泡シリコンゴムシート又はゲル状シート。
【手続補正２】
【補正対象書類名】明細書
【補正対象項目名】全文
【補正方法】変更
【補正の内容】
【考案の詳細な説明】
【技術分野】
【０００１】  筋肉疲労および血流の改善を早期に緩和・回復する上記記載のシリコンゴムシート、発泡シリコンゴムシート又はゲル状シート。
【背景技術】
【０００２】  従来にはラジウム鉱石を含む鉱石の粉体を練りこんだシリコンゴムシートがある。例えば非特許文献１．「痛快シート」がある。また人工鉱石であるテラヘルツ鉱石を数珠状にしたネックレスやブレスレットがある。【０００３】  例えばラジウム鉱石の粉体によるシリコンゴムシートの厚さは概、１ｍｍで面積には種類がある。またテラヘルツ鉱石を数珠状にしたネックレスやブレスレットは、１５〜６０個が連結した形状がある。
【先行技術文献】
【特許文献】
【０００４】  特許文献としては開示も示唆もありません。
【非特許文献】
【０００５】
【非特許文献１】  インターネットなどで一部の医療施設やリラクゼーション施設でラジウムを含む鉱石によるホルミシス効果を謳う施設などが公開されており、こうした密室空間に作られた施設への勧誘が見受けられるのは周知の事実である。代表的な文献はオーストリア・バドガシュタインにおいてラジウム鉱石によるホルミシス効果の医療効果などが掲載されている。
【非特許文献２】  インターネットなどでテラヘルツ鉱石を玉にして数珠状にしたネックレスやブレスレットが掲載されている。
【考案の概要】
【考案が解決しようとする課題】
【０００６】  以上に述べた従来のラジウム鉱石を含む粉体をシリコンゴムシートに練りこんだホルミシス効果は一度の使用に３０分以上を要しても温熱効果や筋肉をほぐす体感がなく数次の回数を使用しても感じる場合と感じない場合があった。ラジウムを含む鉱石の粉体によるホルミシス効果の実験では解放空間よりも密室空間において眠りを誘うような体感が概６０分で得られるようであった。また数珠状に連結したテラヘルツ鉱石の場合は２４時間を超える長時間使用によって若干の温熱効果は得られたが筋肉をほぐすことは出来なかった。【０００７】  本考案は、このような従来の構成が有していた問題を解決しようとするものであり、低放射性のラジウムを含む鉱石の粉体と熱伝導性と共鳴振動に優れているテラヘルツ鉱石の粉体をシリコンゴムシートやゲル状シートに一定の割合で練りこむことで極めて短時間に温熱効果が得られるため一時的であっても、慢性的であっても筋肉をほぐし血行を緩和・改善することが可能となったものである。【０００８】  テラヘルツ鉱石の粉体がもつ熱伝導性の実験では、ライターでテラヘルツ鉱石の粉体を１分間、火を近づけた後、直接手で触れても一切、温度を感じることはなかった。また熱伝導性と共鳴振動による実験ではテラヘルツ鉱石粉体の上に氷の破片を乗せると見る見るうちに溶け出し、わずか３秒程度で氷と同等の温度となった。
【課題を解決するための手段】
【０００９】  ラジウム鉱石を含む粉体が有するホルミシス効果を最大限に利用するためにテラヘルツ鉱石の粉体が有する熱伝導性と共鳴振動による相乗効果を求めたものであり、恒常性機能の一つである筋肉疲労や血流の回復を考える時、筋肉はどの部位においても「束」で存在していることを鑑みればテラヘルツの共鳴振動による増幅と拡大は束で存在する筋肉全体に働きかけて短時間で筋肉をほぐす効果を示したものである。この効果はホルミシスの施設に行く場合と対比すると、短時間かつ費用対効果においてシリコンゴムシートやゲル状に加工した本件考案はホルミシス施設以上の効果が得られる可能性があることを、巻末の図１並びに図３の比較から得られたものである。【００１０】  ラジウムを含む鉱石の粉体を概、２００マイクロに加工し、テラヘルツのパウダーを概、５００マイクロに加工して攪拌した後、シリコンゴム及びゲルに練りこんで硬化後は使いやすい大きさに切り分けるものである。加工時の厚さにおいて概、１ｍｍの場合では約、３分以後よりシリコンゴムシート、またはゲルから体温と同等の温度を感じることが出来るようになった。本件考案が示す温熱効果、マイナスイオン濃度、筋肉疲労の解消には筋電計など多角的な計測を実施した。その結果、極めて短時間に筋肉をほぐし、一時的、慢性的な肩こりや腰痛などに対して緩和・改善していることを示したものである。利用方法については常温下、浴槽内、車の中など、いつでも何処でもと使い易さにおける利便性の向上があり、使い方による劣化或いは損傷を受けても修復が可能である点も費用対効果に優れている。
【考案の効果】
【００１１】  ラジウムを含む鉱石の粉体粒径よりテラヘルツ鉱石粉体の粒径を同一にしないのはシリコンゴムに練りこんだ状態でラジウム鉱石の粉体が発する低放射性を、テラヘルツ鉱石の粉体が共鳴振動し効率よく拡散・増幅し、熱伝導性を最大限に作用することを目的とした。比較および結果は図に示すサーモグラフ、マイナスイオン濃度および筋電計の通りである。（図１．〜図３を参照）
【図面の簡単な説明】
【００１２】
【図１】テラヘルツ粉体のシリコンゴムシートを１０分間乗せた後、サーモグラフによる体表の温度変化を計測。
【図２】ラジウムを含む鉱石だけの粉体シートを１０分間乗せた後、サーモグラフによる体表の温度変化を計測。
【図３】ラジウムを含む鉱石粉体とテラヘルツ鉱石粉体を練りこんだシートを１０分間乗せた後、サーモグラフによる体表の温度変化を計測。
【図４】棒グラフは図３のシリコンゴムシートを装着した前後の比較として僧帽筋に２ｋｇの負荷を１０秒間かけた場合と、かけない場合の筋電計試験。
【図５】図４を解析した数値評価の比較として僧帽筋に２ｋｇの負荷を１０秒間かけた場合と、かけない場合の筋電計試験。
【図６】シリコンゴムシートの１０ｃｍ上で発生したマイナスイオン濃度の比較計測した結果。
【図７】制作方法を示すフローチャート
【考案を実施するための形態】
【実施例１】
【００１３】  筋肉疲労を起こしている部位が体表より深部である場合でも広範囲であっても筋肉がほぐれて血流が改善される効果が顕れるようシリコンゴムに練り込んだシリコンシートの厚さと面積を自由に変更出来ることで筋肉疲労の面積や深部に概ね、１５〜６０分間で改善を可能となることを目的とした。筋肉の一時的疲労または慢性的疲労であっても緩和、改善する時間が早いことによって肉体的負担の軽減と再発防止が可能になることは筋肉疲労を慢性化させないための合理的な方法であると言える。例えばプロのアスリートであっても、高齢者であっても簡便な使い方であること、場所を選ばないこと、専門的な知識を必要としないこと及び第三者の介助を必要としない点でこの効果は多くの対象者が享受出来ることを特徴とする。
【実施例２】
【００１４】  前記、記載の任意の厚さおよび面積のシリコンゴムシートによる一例として慢性的な腰痛の場合に利用する方法では、一定時間患部に固定しておくことで痛みの緩和、軽減または激減を生み日常的な活動に支障がなくなることを特徴とする。
【実施例３】
【００１５】  前記、記載のシリコンゴムシートは更に効率よく利用するには入浴時に浴槽内で筋肉疲労の部位または低体温の方の場合は体温が上昇して安定することを体感出来たことを特徴とする。
【実施例４】
【００１６】  前期記載のシリコンゴムシートは体表の、どの部分でも皮膚の活性、即ち、皮膚の感触や若返り、小皺の改善などによって顔ではリフティング効果と見受けられる小皺の改善が見受けられ、かつ毛穴が収斂して肌のハリが体感出来たことを特徴とする。
【実施例５】
【００１７】  高齢化社会の特徴的な現象に介護される側も、介護する側も日常的な肉体的負担からくる疲労があり、この負担を軽減する目的に利用すれば自立や共助が可能で簡易に短時間で改善が得られる。シリコンゴムシートに練り込んだことでラジウムを含む鉱石粉体とテラヘルツ鉱石粉体がもつ夫々の特性が長期間、保持出来て相乗効果を生むことは両者にとって有益であり、万が一、破損や変形しても多少の使い難くさが残ったとしても効果は担保されている為、器具の修理などと異なり補修も容易なことにも有為性があることを特徴とする。
【産業上の利用可能性】
【００１８】  筋肉疲労の改善および治療には色々な方法があるが、より安全に、より短時間に改善・緩和されるものは少ない。筋肉はどの部位においても「束」で存在しており、その部位の束単位で筋肉に溜まった乳酸を解消し、筋肉の硬化による血行不良を改善するに有益な方法がないのが現状である。例えばアスリートがいつもベストな状態であるためには筋肉の状態が大きく左右すると言っても過言ではなく従来の方法であるマッサージだと間違えば悪化させる原因となる。また別の方法で体温のリバウンドを目的としたアイシングでは低温やけどを起こす危険性もある。どのような方法であっても１時間以内に筋肉疲労を改善出来ないのが現状である。そこで本件考案では筋肉疲労を長期化または慢性化させないための例のない簡便で有益な方法であることを特徴とし、ラジウムを含む鉱石粉体とテラヘルツ鉱石粉体を混合し、シリコンゴムなど化成品に練りこんだ新しい利用方法であり、早い作用効果であり、メンテナンスを必要としないことであり、何処でも誰にでも簡便に使えるものであるため、利用される分野は多岐に亘ることを特徴とする。